(57)【特許請求の範囲】
【請求項１】
有底の収納部を有するハウジングと、この収納部の内底面に配設された一対の接触片からなる中央固定接点部と、この中央固定接点部の周面に配設された一対の接触片からなる周辺固定接点部と、前記一対の接触片の一方に常時接触する周縁部と、頂部が反転して他方の接触片への接触および初期状態への自己復帰とが可能な膨出部とを有してなり、前記中央固定接点部、及び周辺固定接点部にそれぞれ対応して個別に配設された複数の円盤状の金属板からなる可動接点と、この複数の可動接点を選択的に押圧して対応する前記可動接点の膨出部と固定接点部の接触片とを接触させて接点の切り換えを行うステムとを備える多方向操作スイッチにおいて、前記収納部の内底面に前記中央固定接点部を配設する第１の内底面と、前記周辺固定接点部を配設する第２の内底面とを設けると共に、この第１及び第２の内底面との間に段差を設けて個別に設けられた各々の前記可動接点の外形形状に沿った位置決め構造を形成し、前記第1の内底面と第2の内底面のうち、前記段差によって上方に位置する側の内底面を、ハウジングの平面視において、該内底面に配設される可動接点の外形よりも小さく形成することにより、隣接する前記可動接点同士が前記ステムでの押圧による各々の切り換え動作が互いに干渉することがないように、前記ステムの押圧方向へは一定の間隔を維持すると共に、前記ステムの押圧方向と直交する方向へは互いの周縁部を隣接する可動接点の膨出部の頂部にかからないように重ならせて前記収納部内に配設したことを特徴とする多方向操作スイッチ。
【請求項２】
前記第１の内底面は、前記第２の内底面よりも高くなるように形成したことを特徴とする請求項１記載の多方向操作スイッチ。
【請求項３】
前記第１の内底面は、前記第２の内底面よりも低くなるように形成したことを特徴とする請求項１記載の多方向操作スイッチ。
【請求項４】
前記ステムは、押圧方向と傾倒方向とに選択的に操作可能で、前記ステムの押圧方向の操作により、前記中央固定接点部に対向して配設された前記可動接点が押圧されて前記中央固定接点部がオンし、前記ステムの傾倒方向の操作により、前記周辺固定接点部に対向して配設された前記可動接点が押圧されて前記周辺固定接点部がオンするようにしたことを特徴とする請求項１乃至３の何れかに記載の多方向操作スイッチ。
【請求項５】
前記ステムは前記可動接点の頂部を押圧する押圧突部を有し、隣接する前記可動接点同士を前記ステムの押圧方向と直交する方向へは互いの周縁部を隣接する可動接点の膨出部の頂部および押圧突部にかからないように重ならせて前記収納部に配設したことを特徴とする請求項１記載の多方向操作スイッチ。
【請求項６】
前記可動接点の周縁部が常時接触する接触片を、前記可動接点が重ね合わせられた部分とは異なる位置に配置したことを特徴とする請求項１記載の多方向操作スイッチ。
【請求項７】
前記周辺固定接点部を、前記中央固定接点部を挟んで２方向または４方向または８方向に形成したことを特徴とする請求項１から６の何れかに記載の多方向操作スイッチ。
【請求項８】
前記各々の可動接点は、中央が膨出したドーム状に形成されてなることを特徴とする請求項１から７の何れかに記載の多方向操作スイッチ。
【発明の詳細な説明】
【０００１】
【発明の属する技術分野】
本発明は、多方向操作スイッチの構造に係り、特にステムの操作方向が押圧方向と傾倒方向とに選択的に操作可能とされる複数のスイッチ接点を備えた多方向操作スイッチの構造に関する。
【０００２】
【従来の技術】
従来の多方向操作スイッチの構造としては、図７及び図８に示すものがある。図７は多方向操作スイッチの縦断面図、図８はハウジングに可動接点を配設した状態の平面図である。
【０００３】
図において、ハウジング１１は、合成樹脂などの絶縁材で上面が開口された有底の箱状に形成されており、このハウジング１１の内底面の中央には、導電性の金属材からなる中央固定接点部１２が配設されている。また、この中央固定接点部１２を挟んで対向した両側には、同じく導電性の金属材からなる一対の周辺固定接点部１３、１３が配設されたものとなっている。
また、前記中央固定接点部１２、及び周辺固定接点部１３は、各々一対の接触片１２ａ、１２ｂ及び１３ａ、１３ｂから構成されている。
【０００４】
前記中央固定接点部１２と、前記周辺固定接点部１３の上面側には、導電性の円盤状の金属板からなる可動接点１４が配設されている。この可動接点１４は、中央が膨出したドーム状に形成されている。
【０００５】
ステム１５は合成樹脂などの絶縁材で形成されており、基部を構成する第１のステム１６と、この第１のステム１６の中央に押圧方向に移動可能に配設された第２のステム１７とから構成されている。
前記第１のステム１６の下面側の両端には、一対の押圧突部１６ｂが形成されている。この押圧突部１６ｂは、前記周辺固定接点部１３の上面側に配設された前記可動接点１４に当接されており、前記ステム１５の傾倒操作に伴って前記可動接点１４を押圧し、この可動接点１４を介して前記周辺固定接点部１３の各々の前記接触片１３ａ、１３ｂ同士を導通させるものとなっている。
【０００６】
前記第２のステム１７は、前記第１のステム１６の挿通孔１６ａに挿通されており、この挿通孔１６ａより突出した棒状部分が操作桿部１７ａとされ、この操作桿部１７ａの反対側には押圧突部１７ｂが形成されている。この押圧突部１７ｂは、前記中央固定接点部１２の上面側に配設された前記可動接点１４に当接されており、前記操作桿部１７ａの押圧（押し込み）操作により前記可動接点１４を押圧し、この可動接点１４を介して前記中央固定接点部１２の各々の前記接触片１２ａ、１２ｂ同士を導通させるものとなっている。
【０００７】
カバー１８は、板状の金属板で形成され、中央に前記ステム１５の前記操作桿部１７ａなどを挿通させる窓孔１８ａが設けられており、前記ハウジング１１の上面側の開口を覆うことで、前記可動接点１４や前記ステム１５の飛び出しを防止している。
【０００８】
【発明が解決しようとする課題】
しかしながら、上述した従来の多方向操作スイッチの構造においては、前記中央固定接点部１２と前記周辺固定接点部１３とが、前記ハウジング１１の内底面の同一平面上に形成されており、前記可動接点１４も、前記中央固定接点部１２と前記周辺固定接点部１３上の同一平面上にそれぞれ対応させて配設する必要があることから、前記可動接点１４の配設方向においては前記可動接点１４、１４同士がぶつからないように一定の間隔を必要とするため、前記ハウジング１１の大きさを小さくすることができず、スイッチ本体の幅の小型化ができないという問題があった。
【０００９】
したがって、本発明では上述した問題点を解決し、多方向操作スイッチの構造で、中央固定接点部上に配設される可動接点と、周辺固定接点部上に配設される可動接点との各々の切り換え動作が、お互いに干渉しないように重ねあわせて配設することができ、スイッチ本体の幅を小型にすることが可能な多方向操作スイッチの構造を提供する事を目的とする。
【００１０】
【課題を解決するための手段】
上記課題を解決するために本発明では第１の手段として、有底の収納部を有するハウジングと、この収納部の内底面に配設された一対の接触片からなる中央固定接点部と、この中央固定接点部の周面に配設された一対の接触片からなる周辺固定接点部と、前記一対の接触片の一方に常時接触する周縁部と、頂部が反転して他方の接触片への接触および初期状態への自己復帰とが可能な膨出部とを有してなり、前記中央固定接点部、及び周辺固定接点部にそれぞれ対応して個別に配設された複数の円盤状の金属板からなる可動接点と、この複数の可動接点を選択的に押圧して対応する前記可動接点の膨出部と固定接点部の接触片とを接触させて接点の切り換えを行うステムとを備える多方向操作スイッチにおいて、前記収納部の内底面に前記中央固定接点部を配設する第１の内底面と、前記周辺固定接点部を配設する第２の内底面とを設けると共に、この第１及び第２の内底面との間に段差を設けて個別に設けられた各々の前記可動接点の外形形状に沿った位置決め構造を形成し、前記第1の内底面と第2の内底面のうち、前記段差によって上方に位置する側の内底面を、ハウジングの平面視において、該内底面に配設される可動接点の外形よりも小さく形成することにより、隣接する前記可動接点同士が前記ステムでの押圧による各々の切り換え動作が互いに干渉することがないように、前記ステムの押圧方向へは一定の間隔を維持すると共に、前記ステムの押圧方向と直交する方向へは互いの周縁部を隣接する可動接点の膨出部の頂部にかからないように重ならせて前記収納部内に配設したことを特徴とする。
【００１２】
また、第２の手段として、前記第１の内底面は、前記第２の内底面よりも高くなるように形成したことを特徴とする。
【００１３】
また、第３の手段として、前記第１の内底面は、前記第２の内底面よりも低くなるように形成したことを特徴とする。
【００１４】
また、前記ステムは、押圧方向と傾倒方向とに選択的に操作可能で、前記ステムの押圧方向の操作により、前記中央固定接点部に対向して配設された前記可動接点が押圧されて前記中央固定接点部がオンし、前記ステムの傾倒方向の操作により、前記周辺固定接点部に対向して配設された前記可動接点が押圧されて前記周辺固定接点部がオンするようにしたことを特徴とする。
また、前記ステムは前記可動接点の頂部を押圧する押圧突部を有し、隣接する前記可動接点同士を前記ステムの押圧方向と直交する方向へは互いの周縁部を隣接する可動接点の膨出部の頂部および押圧突部にかからないように重ならせて前記収納部に配設したことを特徴とする。
また、前記可動接点の周縁部が常時接触する接触片を、前記可動接点が重ね合わせられた部分とは異なる位置に配置したことを特徴とする。
また、前記周辺固定接点部を、前記中央固定接点部を挟んで２方向または４方向または８方向に形成したことを特徴とする。
また、前記各々の可動接点は、中央が膨出したドーム状に形成されてなることを特徴とする。
【００１５】
【発明の実施の形態】
以下、本発明の実施例を図１乃至図６に示す。図１乃至図３は本発明の第１の実施例である多方向操作スイッチの構造を示し、図１は多方向操作スイッチの縦断面図、図２はハウジングに可動接点を配設した状態の平面図、図３はハウジングの平面図である。
【００１６】
図１乃至図３において、ハウジング１は、合成樹脂などの絶縁材で上面が開口された有底の箱形に形成されている。このハウジング１には、収納部１ａが設けられており、この収納部１ａの内底面の中央には、導電性の金属材からなる中央固定接点部２が配設されている。また、この中央固定接点部２を挟んで対向した両側には、同じく導電性の金属材からなる一対の周辺固定接点部３、３が配設されたものとなっている。また、前記中央固定接点部２、及び周辺固定接点部３、３は、各々一対の接触片２ａ、２ｂ、及び接触片３ａ、３ｂから構成されている。
【００１７】
前記収納部１ａの内底面は、前記中央固定接点部２が配設された第１の内底面１ｂと、前記周辺固定接点部３が配設された第２の内底面１ｃとが、互いに一定の段差を持って段違いになるように形成されており、前記第１の内底面１ｂは、前記第２の内底面１ｃよりも一段高い位置に形成されたものとなっている。すなわち、前記中央固定接点部２の配設位置は、前記周辺固定接点部３よりも一段高い位置となるように前記収納部１ａの内底面上に配置されている。
【００１８】
また、前記中央固定接点部２、及び前記周辺固定接点部３から導出された他端側には、前記ハウジング１の側面から外方へ突出されて、図示しない電子機器などの回路基板の回路パターンなどへ接続される、接続端子２ｃ、３ｃが設けられている。
【００１９】
前記第１の内底面１ｂ、及び前記第２の内底面１ｃには、導電性の円盤状の金属板からなる可動接点４が配設されており、この可動接点４は、中央が膨出したドーム状に形成されている。前記可動接点４は、前記中央固定接点部２、及び前記周辺固定接点部３の上面側に被さるように配設されており、このとき、前記可動接点４の周縁部４ａは、前記中央固定接点部２、及び前記周辺固定接点部３の一方の前記接触片２ａ、３ａと常時接触し、かつドーム状の頂部４ｂは、他方の前記接触片２ｂ、３ｂと一定の間隔が保持され対向した状態となっている。この状態では前記中央固定接点部２、及び周辺固定接点部３はオフ状態となっている。
【００２０】
また、前記中央固定接点部２と前記周辺固定接点部３の上面側に配設される前記可動接点４、４同士は、後述するステム５の押圧方向（縦方向）へは一定の間隔を維持するように段違いに配設されており、かつステム５の押圧方向（縦方向）と直交する方向（横方向）へは外形の一部が重なるように前記ハウジング１の収納部１ａ内に配設されており、こうすることで、前記可動接点４の大きさに合わせて前記ハウジング１の幅を大きくする必要がなくなり、前記可動接点４の大きさに囚われずに前記ハウジング１の幅を小さくすることができるようになっている。
【００２１】
ステム５は、合成樹脂などの絶縁材で形成されている。このステム５は、基部を構成する第１のステム６と、この第１のステム６の中央に押圧方向に移動可能に係合された第２のステム７とから構成されており、前記ステム５の傾倒操作時には、前記第１のステム６と前記第２のステム７とが互いに一体となって動作可能なように形成されたものとなっている。
【００２２】
前記第１のステム６には、中央に前記第２のステム７が挿通する挿通孔６ａが形成されており、また、下面側の両端部には、一対の押圧突部６ｂ、６ｂが形成されている。前記第１のステム６は、この押圧突部６ｂが前記周辺固定接点部３の上面側に配設された前記可動接点４の頂部４ｂに当接された状態で前記ハウジング１の収納部１ａに収納されており、前記ステム５の傾倒操作に伴って前記押圧突部６ｂが前記可動接点４の頂部４ｂを押圧し、前記可動接点４を介して前記周辺固定接点部３の各々の前記接触片３ａ、３ｂ同士を導通させるものとなっている。
【００２３】
前記第２のステム７は、前記第１のステム６の前記挿通孔６ａに挿通されて係合されており、前記挿通孔６ａより突出している棒状部分が操作桿部７ａとされ、この操作桿部７ａの反対側には前記第１のステム６の下面側から突出した押圧突部７ｂが形成されている。この押圧突部７ｂは、前記中央固定接点部２の上面側に配設された前記可動接点４の頂部４ｂに当接されており、前記操作桿部７ａの押圧（押し込み）操作により前記押圧突部７ｂが前記可動接点４の頂部４ｂを押圧し、前記可動接点４を介して前記中央固定接点部２の前記接触片２ａ、２ｂ同士を導通させるものとなっている。このとき、前記第２のステム７は、前記第１のステム６の挿通孔６ａ内を摺動して押圧方向へ移動することから、前記第１のステム６の移動はない。
【００２４】
前記ハウジング１の開口された前記収納部１ａの上面には、平板の金属板で方形状に形成されたカバー８が取り付けられており、このカバー８の中央には、前記ステム５の前記操作桿部７ａなどを挿通させる窓孔８ａが設けられている。前記カバー８で前記ハウジング１の上面側の開口を覆うことで、前記可動接点４や前記ステム５の飛び出しを防止している。
【００２５】
次に、上記の実施例における多方向操作スイッチの動作について説明する。
まず、スイッチの押圧（押し込み）操作時には、前記ステム５の第２のステム７を指などで縦方向に押圧すると、前記第２のステム７は前記第１のステム６の挿通孔６ａ内を縦方向へ移動し、前記押圧突部６ｂが前記中央固定接点部２上の前記可動接点４の頂部４ｂを押圧する。この時、前記可動接点４は、ドーム状の膨出した前記頂部４ｂが反転されて、前記中央固定接点部２の前記接触片２ｂと接触することで、前記接触片２ａ、２ｂ同士が前記可動接点４を介して導通し前記中央固定接点部２がオン状態となる。この場合、前記第１のステム６は前記第２のステム７の動作に追従せず動作しないことから、前記周辺固定接点部３、３はオフ状態を維持している。  この状態から、指の押圧を除去すると、前記可動接点４が自らの反転により初期状態に復帰することから、前記第２のステム７は前記可動接点４の反転に伴って初期位置に復帰するものとなる。
【００２６】
次に、スイッチの傾倒操作時には、前記第２のステム７を指などで横方向に傾倒させると、前記第１のステム６が、前記第２のステム７に追従して横方向に傾倒する。この時、傾倒された方向にある前記第１のステム６の前記押圧突部６ｂが前記周辺固定接点部３上の前記可動接点４の頂部４ｂを押圧する。そして、前記可動接点４は、ドーム状の膨出した前記頂部４ｂが反転されて、前記周辺固定接点部３の前記接触片３ｂと接触することで、前記接触片３ａ、３ｂ同士が前記可動接点４を介して導通し前記周辺固定接点部３がオン状態となる。この場合、前記第２のステム７も横方向に傾倒するが、前記第２のステム７の押圧突部７ｂは縦方向に移動しないことから、前記中央固定接点部２は押圧されずオフ状態を維持している。
この状態から、指の横方向の押圧を除去すると、前記可動接点４が自らの反転により初期状態に復帰することから、前記第１のステム６は前記可動接点４の反転に伴って初期位置に復帰するものとなる。
尚、横方向に傾倒させる動作は、左右どちらの方向でも可能であり、このときの動作は上記と同様に行われるため、説明を省略する。
【００２７】
上述した、本発明の多方向操作スイッチの構造においては、前記ハウジング１の収納部１ａの内底面に段差を設け、この段差を設けた内底面に前記中央固定接点部２及び前記周辺固定接点部３をそれぞれ配設し、前記中央固定接点部２及び前記周辺固定接点部３の上面側に配設される前記可動接点４、４同士を、その外形の一部が重なるようにして前記ハウジング１の収納部１ａ内に配設したことから、前記可動接点４の大きさに囚われずに前記ハウジング１の幅を小さくすることができるものとなっている。
【００２８】
また、前記可動接点４の配設位置の位置決め構造として、前記ハウジング１の内底面に、前記中央固定接点部２を配設する前記第１の内底面１ｂと、前記周辺固定接点部３を配設する前記第２の内底面１ｃとを設けると共に、この第１及び第２の内底面１ｂ、１ｃとの間に段差を形成することにより前記可動接点４、４同士を離間させたことから、前記可動接点４、４同士が干渉することを防止できる。また、簡易な構造で信頼性のあるスイッチの接点部を形成する事ができる。
【００２９】
また、複数の前記可動接点４を使用した多方向操作スイッチにおいては、スイッチの接点部を小さく形成することができることから、スイッチ本体の小型化が可能となる。
【００３０】
図４乃至図６は本発明の第２の実施例である多方向操作スイッチの構造を示し、図４は多方向操作スイッチの縦断面図、図５はハウジングに可動接点を配設した状態の平面図、図６はハウジングの平面図である。
尚、図１乃至図３で説明した同一部品については、同一符号を付してその説明を省略する。
【００３１】
この場合、第１の実施例との相違点は、前記ハウジング１の収納部１ａの内底面に形成した段差の構造が若干異なっている点である。すなわち、本発明の第２の実施例である多方向操作スイッチの前記収納部１ａの内底面の段差の構造は、前記中央固定接点部２が配設された第１の内底面１ｄは、前記周辺固定接点部３、３が配設された第２の内底面１ｅよりも一段低い位置に形成されたものとなっている。すなわち、前記中央固定接点部２の配設位置は、前記周辺固定接点部３よりも一段低い位置となるように前記収納部１ａの内底面上に配置されている。
【００３２】
また、前記中央固定接点部２と前記周辺固定接点部３の上面側に配設される前記可動接点４、４同士は、前記ステム５の押圧方向（縦方向）へは一定の間隔を維持するように段違いに配設されており、かつ前記ステム５の押圧方向（縦方向）と直交する方向（横方向）へは外形の一部が重なるように前記ハウジング１の収納部１ａ内に配設されており、こうすることで、前記可動接点４の大きさに合わせて前記ハウジング１の幅を大きくする必要がなくなり、前記可動接点４の大きさに囚われずに前記ハウジング１の幅を小さくすることができるようになっている。
この場合、第１の実施例と異なるのは、前記中央固定接点部２の上面側の前記可動接点４の上側に前記周辺固定接点部３の上面側の前記可動接点４が重なるように配設されている点である。
【００３３】
上述した本発明の実施例においても、前記ハウジング１の収納部１ａの内底面に段差を設け、この段差を設けた内底面に前記中央固定接点部２及び前記周辺固定接点部３をそれぞれ配設し、前記中央固定接点部２及び前記周辺固定接点部３の上面側に配設される前記可動接点４、４同士を、その外形の一部が重なるようにして前記ハウジング１の収納部１ａ内に配設したことから、前記可動接点４の大きさに囚われずに前記ハウジング１の幅を小さくすることができるものとなっている。
【００３４】
また、前記可動接点４の配設位置の位置決め構造として、前記ハウジング１の内底面に、前記中央固定接点部２を配設する前記第１の内底面１ｄと、前記周辺固定接点部３を配設する前記第２の内底面１ｅとを設けると共に、この第１及び第２の内底面１ｄ、１ｅとの間に段差を形成することにより前記可動接点４、４同士を離間させたことから、前記可動接点４、４同士が干渉することを防止できる。また、簡易な構造で信頼性のあるスイッチの接点部を形成する事ができる。
【００３５】
また、複数の前記可動接点４を使用した多方向操作スイッチにおいては、スイッチの接点部を小さく形成することができることから、スイッチ本体の小型化が可能となる。
【００３６】
尚、上記実施例においては、前記周辺固定接点部３を左右方向の２方向に設けた構造としたが、本発明はこれに限定されるものではなく、左右のどちらか１方向や、左右上下の４方向、及び８方向などに設けた多方向操作スイッチにも適用できるのはもちろんである。
【００３７】
【発明の効果】
以上説明したように、本発明の多方向操作スイッチの構造は、ハウジングの収納部の内底面に配設された中央固定接点部と周辺固定接点部に対向して配設された可動接点同士は、ステムの押圧方向へは一定の間隔を維持すると共に、ステムの押圧方向と直交する方向へは外形の一部が重なるように収納部内に配設したことから、可動接点の大きさに合わせてハウジングの幅を大きくする必要がないため、可動接点の大きさに囚われずにハウジングの幅を小さくすることが可能となる。
【００３８】
また、収納部の内底面には、中央固定接点部を配設する第１の内底面と、周辺固定接点部を配設する第２の内底面とを設けると共に、この第１及び第２の内底面との間に段差を形成したことから、収納部内で可動接点同士を離間させることができるため、可動接点同士が干渉することを防止できる。
【００３９】
また、第１の内底面は、第２の内底面よりも高くなるように形成したことから、簡易な構造で信頼性のあるスイッチの接点部が得られる。
【００４０】
また、第１の内底面は、第２の内底面よりも低くなるように形成したことから、簡易な構造で信頼性のあるスイッチの接点部が得られる。
【００４１】
また、ステムは、押圧方向と傾倒方向とに選択的に操作可能で、ステムの押圧方向の操作により、中央固定接点部に対向して配設された可動接点が押圧されて中央固定接点部がオンし、ステムの傾倒方向の操作により、周辺固定接点部に対向して配設された可動接点が押圧されて周辺固定接点部がオンするようにしたことから、複数の可動接点を使用した多方向操作スイッチにおいては、スイッチの接点部を小さく形成することができるため、スイッチ本体の小型化が可能となる。
【図面の簡単な説明】
【図１】本発明の第１の実施例である多方向操作スイッチを示す縦断面図である。
【図２】本発明の同じくハウジングに可動接点を配設した状態を示す平面図である。
【図３】本発明の同じくハウジングを示す平面図である。
【図４】本発明の第２の実施例である多方向操作スイッチを示す縦断面図である。
【図５】本発明の同じくハウジングに可動接点を配設した状態を示す平面図である。
【図６】本発明の同じくハウジングを示す平面図である。
【図７】従来の多方向操作スイッチを示す縦断面図である。
【図８】従来のハウジングに可動接点を配設した状態を示す平面図である。
【符号の説明】
１  ハウジング
１ａ  収納部
１ｂ，１ｄ  第１の内底面
１ｃ，１ｅ  第２の内底面
２  中央固定接点部
２ａ，２ｂ  接触片
２ｃ  接続端子
３  周辺固定接点部
３ａ，３ｂ  接触片
３ｃ  接続端子
４  可動接点
４ａ  周縁部
４ｂ  頂部
５  ステム
６  第１のステム
６ａ  挿通孔
６ｂ  押圧突部
７  第２のステム
７ａ  操作桿部
７ｂ  押圧突部
８  カバー
８ａ  窓孔
【図１】
0003875438.tif 000002
【図２】
0003875438.tif 000003
【図３】
0003875438.tif 000004
【図４】
0003875438.tif 000005
【図５】
0003875438.tif 000006
【図６】
0003875438.tif 000007
【図７】
0003875438.tif 000008
【図８】
0003875438.tif 000009